(57)【特許請求の範囲】
【請求項１】
血圧および脈拍を測定するための測定装置であって、
測定部位に装着するためのカフと、
前記カフの内圧を測定するための圧力センサと、
前記カフを前記測定部位に装着することで、前記カフによって前記測定部位に押し付けられる位置に配された、脈波を検出するための脈波センサと、
前記圧力センサおよび前記脈波センサに接続され、それらの出力値に基づいて血圧および脈拍を算出するための演算装置とを備え、
前記演算装置は、
血圧を算出するための処理として、血圧測定時に前記カフの内圧を加減圧する制御を実行して前記加減圧する制御下での前記カフの内圧変化に基づいて血圧値を算出する演算を実行し、
脈拍を算出するための処理として、前記血圧測定時以外には前記脈波センサのセンサ信号から脈拍を算出する演算を実行し、前記血圧測定時には前記脈波センサからのセンサ信号と前記圧力センサからのセンサ信号とを比較することで前記脈波センサのセンサ信号と前記圧力センサからのセンサ信号とのうちの一方を選択し、前記選択されたセンサ信号から脈拍を算出する演算を実行する、測定装置。
【請求項２】
前記演算装置は、前記脈波センサからのセンサ信号より算出されたＳＮ比と前記圧力センサからのセンサ信号より算出されたＳＮ比とのうちのＳＮ比の高い方のセンサ信号を用いて脈拍を算出する、請求項１に記載の測定装置。
【請求項３】
前記演算装置は、前記脈波センサからのセンサ信号と前記圧力センサからのセンサ信号とをそれぞれの基準値と比較し、前記基準値に達していないセンサ信号がある場合に、達している方のセンサ信号を用いて脈拍を算出し、いずれのセンサ信号も前記基準値に達している場合、これらセンサ信号を比較することでいずれか一方を選択し、前記選択されたセンサ信号から脈拍を算出する、請求項１または２に記載の測定装置。
【請求項４】
前記脈波センサは、１以上の光電センサ、または１以上のインピーダンスセンサである、請求項１〜３のいずれかに記載の測定装置。
【請求項５】
測定装置で血圧および脈拍を測定する方法であって、
前記測定装置は、
測定部位に装着するためのカフと、
前記カフの内圧を測定するための圧力センサと、
前記カフによって前記測定部位に装着可能な、脈波を検出するための脈波センサとを含み、
前記カフの内圧を加減圧するステップと、
前記カフの内圧を加減圧するステップにおける前記圧力センサからのセンサ信号に基づいて血圧値を算出するステップと、
前記カフの内圧を加減圧するステップにおける前記脈波センサからのセンサ信号と前記圧力センサからのセンサ信号とを比較することで前記脈波センサのセンサ信号と前記圧力センサからのセンサ信号とのうちの一方を選択し、前記選択されたセンサ信号から脈拍を算出するステップとを備える、測定方法。
【発明の詳細な説明】
【技術分野】
【０００１】
この発明は測定装置および測定方法に関し、特に、カフを利用して血圧を測定する測定装置に関する。
【背景技術】
【０００２】
病症によって、たとえば日内変動などの長期間の血圧変動を把握する必要がある場合がある。血圧変動を知るために、長期にわたって測定装置を装着して所定間隔で血圧測定を実行するという用いられ方が知られている。このように用いられる血圧計は、「２４時間血圧計」とも称されている。
【０００３】
また、当該期間における血圧値と共に、その期間における脈拍の変動も把握したいというニーズもある。
【０００４】
たとえば、南順一、石光俊彦、および松岡博昭による論文「Ｅｆｆｅｃｔｓ  ｏｆ  Ｓｍｏｋｉｎｇ  Ｃｅｓｓａｔｉｏｎ  ｏｎ  Ｂｌｏｏｄ  Ｐｒｅｓｓｕｒｅ  ａｎｄ  Ｈｅａｒｔ  Ｒａｔｅ  Ｖａｒｉａｂｉｌｉｔｙ  ｉｎ  Ｈａｂｉｔｕａｌ  Ｓｍｏｋｅｒｓ」（Ｈｙｐｅｒｔｅｎｓｉｏｎ  １９９９  Ａｍｅｒｉｃａｎ  Ｈｅａｒｔ  Ａｓｓｏｃｉａｔｉｏｎ）において測定装置により心電が測定され、そのＲＲ間隔を測定することで心拍数も検出される。
【先行技術文献】
【非特許文献】
【０００５】
【非特許文献１】Ｊｕｎｉｃｈｉ  Ｍｉｎａｍｉ他，Ｅｆｆｅｃｔｓ  ｏｆ  Ｓｍｏｋｉｎｇ  Ｃｅｓｓａｔｉｏｎ  ｏｎ  Ｂｌｏｏｄ  Ｐｒｅｓｓｕｒｅ  ａｎｄ  Ｈｅａｒｔ  Ｒａｔｅ  Ｖａｒｉａｂｉｌｉｔｙ  ｉｎ  Ｈａｂｉｔｕａｌ  Ｓｍｏｋｅｒｓ，Ｈｙｐｅｒｔｅｎｓｉｏｎ，Ａｍｅｒｉｃａｎ  Ｈｅａｒｔ  Ａｓｓｏｃｉａｔｉｏｎ，１９９９，ｐ．５８６−５９０
【発明の概要】
【発明が解決しようとする課題】
【０００６】
しかしながら、このような装置はサイズが大きく、長期間装着すると被験者の負担が大きいという問題があった。
【０００７】
本発明はこのような問題に鑑みてなされたものであって、被験者の負担を抑えつつ、精度よく血圧値と共に脈拍を長期にわたって測定することができる測定装置および測定方法を提供することを目的としている。
【課題を解決するための手段】
【０００８】
上記目的を達成するために、本発明のある局面に従うと、測定装置は血圧および脈拍を測定するための測定装置であって、測定部位に装着するためのカフと、カフの内圧を測定するための圧力センサと、カフを測定部位に装着することで、カフによって測定部位に押し付けられる位置に配された、脈波を検出するための脈波センサと、圧力センサおよび脈波センサに接続され、それらの出力値に基づいて血圧および脈拍を算出するための演算装置とを備える。演算装置は、血圧を算出するための処理として、血圧測定時にカフの内圧を加減圧する制御を実行して加減圧する制御下でのカフの内圧変化に基づいて血圧値を算出する演算を実行し、脈拍を算出するための処理として、血圧測定時以外には脈波センサのセンサ信号から脈拍を算出する演算を実行し、血圧測定時には脈波センサからのセンサ信号と圧力センサからのセンサ信号とを比較することで脈波センサのセンサ信号と圧力センサからのセンサ信号とのうちの一方を選択し、選択されたセンサ信号から脈拍を算出する演算を実行する。
【０００９】
好ましくは、演算装置は、脈波センサからのセンサ信号より算出されたＳＮ比と圧力センサからのセンサ信号より算出されたＳＮ比とのうちのＳＮ比の高い方のセンサ信号を用いて脈拍を算出する。
【００１０】
好ましくは、演算装置は、脈波センサからのセンサ信号と圧力センサからのセンサ信号とをそれぞれの基準値と比較し、基準値に達していないセンサ信号がある場合に、達している方のセンサ信号を用いて脈拍を算出し、いずれのセンサ信号も基準値に達している場合、これらセンサ信号を比較することでいずれか一方を選択し、選択されたセンサ信号から脈拍を算出する。
【００１１】
好ましくは、脈波センサは、１以上の光電センサ、または１以上のインピーダンスセンサである。
【００１２】
本発明の他の局面に従うと、測定方法は測定装置で血圧および脈拍を測定する方法であって、測定装置は、測定部位に装着するためのカフと、カフの内圧を測定するための圧力センサと、カフによって測定部位に装着可能な、脈波を検出するための脈波センサとを含む。当該測定方法は、カフの内圧を加減圧するステップと、カフの内圧を加減圧するステップにおける圧力センサからのセンサ信号に基づいて血圧値を算出するステップと、カフの内圧を加減圧するステップにおける脈波センサからのセンサ信号と圧力センサからのセンサ信号とを比較することで脈波センサのセンサ信号と圧力センサからのセンサ信号とのうちの一方を選択し、選択されたセンサ信号から脈拍を算出するステップとを備える。
【発明の効果】
【００１３】
この発明によると、被験者の負担を抑えつつ、精度よく血圧値と共に脈拍を長期にわたって測定することができる。
【図面の簡単な説明】
【００１４】
【図１】動脈容積を検出するためのセンサとカフとの位置関係を表わした図である。
【図２】カフの内圧変化に伴う脈拍振幅の変化と、図１（Ａ）に示された位置に配置された動脈容積を検出するためのセンサによって測定された脈波の波形の測定結果との関係を表わした図である。
【図３】カフの内圧変化に伴う脈拍振幅の変化と、図１（Ｂ）に示された位置に配置された動脈容積を検出するためのセンサによって測定された脈波の波形の測定結果との関係を表わした図である。
【図４】カフの内圧変化に伴う脈拍振幅の変化と、図１（Ｃ）に示された位置に配置された動脈容積を検出するためのセンサによって測定された脈波の波形の測定結果との関係を表わした図である。
【図５】カフが加圧されたときの動脈容積を検出するためのセンサの様子を表わした図である。
【図６】実施の形態にかかる測定装置としての電子血圧計（以下、血圧計）の装置構成の具体例を示すブロック図である。
【図７】血圧計の機能構成の具体例を示すブロック図である。
【図８】血圧計での測定動作の流れを表わすフローチャートである。
【図９】図８のステップＳ１０９での血圧測定動作の具体的な流れを表わすフローチャートである。
【図１０】図９のステップＳ２０５での圧脈波・光電脈波による脈拍算出の具体的な流れを表わすフローチャートである。
【発明を実施するための形態】
【００１５】
以下に、図面を参照しつつ、本発明の実施の形態について説明する。以下の説明では、同一の部品および構成要素には同一の符号を付してある。それらの名称および機能も同じである。
【００１６】
＜課題の説明＞
従来、血圧計として、手首や上腕などの測定部位にカフ（空気袋）を装着し、当該測定部位の動脈から伝わるカフ圧変動から血圧を算出する血圧計が普及している。特に、長期間の血圧変動を測定するために用いる血圧計とすると、上腕にカフを装着するタイプよりも手首にカフを装着する手首血圧計の方が、より被験者の負担を軽減させることができる。さらに、手首橈骨動脈は上腕よりも皮下の浅いところに動脈が位置しているため、脈拍測定にも適した部位といえる。
【００１７】
そこで、長期間にわたって血圧および脈拍を測定する装置として、一例として手首血圧計を挙げ、このような血圧計に、血圧測定時以外の時間は、脈拍を測定する機能を搭載することが考えられる。
【００１８】
ここで、脈拍の測定方法として、皮下の比較的浅いところに位置する動脈の容積の変化を非侵襲で検出し、脈拍数を測定する方法が知られている。代表的な測定方法としては、動脈の容積の変化を、動脈の直上に密着して配置した光電センサやインピーダンスセンサなどの動脈容積を検出するためのセンサを用いて測定する方法が挙げられる。
【００１９】
血圧計にはカフが備えられていることから、上記動脈容積を検出するためのセンサを皮膚へ密着させるために当該カフを利用することが考えられる。
【００２０】
図１は、動脈容積を検出するためのセンサとカフとの位置関係を表わした図である。すなわち、図１（Ａ）は、上記動脈容積を検出するためのセンサがカフによる圧迫部よりも動脈の下流側に配置されている場合を表わし、図１（Ｂ）は上記動脈容積を検出するためのセンサがカフによる圧迫部の概ね中央にある場合を表わし、図１（Ｃ）は上記動脈容積を検出するためのセンサがカフ圧迫部より動脈の上流側にある場合を表わしている。
【００２１】
図２〜４は、カフの内圧変化に伴う脈拍振幅の変化と、図１に示された各位置に配置された動脈容積を検出するためのセンサによって測定された脈波の波形の測定結果との関係を表わした図である。各図において、（Ａ）はカフの内圧変化に伴う脈拍振幅の変化を表わし、（Ｂ）は動脈容積を検出するためのセンサによって測定された脈波の波形の測定結果を表わしている。また、図５は、カフが加圧されたときの動脈容積を検出するためのセンサの様子を表わした図である。
【００２２】
図１（Ａ）に示された、上記動脈容積を検出するためのセンサがカフによる圧迫部よりも動脈の下流側に配置されている場合、カフによって動脈が圧閉されると脈拍が検出されなくなる。また、図５（Ａ）に表わされたように、カフが加圧されて膨張するに連れて、動脈容積を検出するためのセンサと動脈との位置関係が変化する。そのため、図２に示されるように、動脈の圧閉が進むに連れて動脈容積を検出するためのセンサによって検出される動脈容積変化が小さくなり、動脈が圧閉されると動脈容積変化が検出されなくなる。
【００２３】
図１（Ｂ）に示された、上記動脈容積を検出するためのセンサがカフによる圧迫部の概ね中央にある場合、図１（Ａ）の場合と同様に、カフによって動脈が圧閉されると脈拍が検出されなくなる。また、この配置では動脈の力学的特性によりカフが加圧され膨張するにつれて動脈容積変化は徐々に大きくなり、最大値を超えた後、徐々に小さくなり、動脈が圧閉されると動脈容積変化が検出されなくなる。
【００２４】
図１（Ｃ）に示された、上記動脈容積を検出するためのセンサがカフ圧迫部より動脈の上流側にある場合、カフによるセンサの圧迫により動脈容積を検出するためのセンサの測定部位に向く方向が変化する。すなわち、図５（Ｂ）に表わされたように、カフが加圧されて膨張するに連れて、動脈容積を検出するためのセンサと動脈との位置関係が変化する。そのため、図４に示されるように、カフによって圧迫されるにつれて検出される脈波の振幅が低くなる。
【００２５】
つまり、この測定からも明らかなように、血圧測定に用いるカフを利用して動脈容積を検出するためのセンサを測定部位に押し付ける構成とした場合、動脈容積を検出するためのセンサをカフに対してどのような位置関係で配置したとしても、カフの加圧によって検出される脈波の振幅が変化し脈拍が精度よく測定されない、という課題がある。
【００２６】
そこで、このような課題を解決し、精度よく、血圧測定と共に、血圧測定時以外に脈拍を常時測定できる測定装置について説明する。
【００２７】
＜装置構成＞
図６は、実施の形態にかかる測定装置としての電子血圧計（以下、血圧計）１の装置構成の具体例を示すブロック図である。血圧計１は、長期間の血圧変動を測定するために用いられる。そのため、上述のように、手首にカフ（空気袋）を装着する手首血圧計であることが想定されている。しかしながら、手首のみに限定されるものではなく、上腕や足首など四肢の他の部位に装着されるものにも適用可能である。
【００２８】
図６を参照して、血圧計１は測定用の空気袋１３を含み、空気袋１３はエア管１０でエアー系２０に接続されている。エアー系２０には、空気袋１３の内圧を測定するための圧力センサ２３、空気袋１３に対する給気／排気を行なうためのポンプ２１、および弁２２が含まれる。
【００２９】
圧力センサ２３、ポンプ２１、および弁２２は、それぞれ、発振回路２８、駆動回路２６、および駆動回路２７に電気的に接続され、さらに、発振回路２８、駆動回路２６、および駆動回路２７は、いずれも血圧計１全体を制御するためのＣＰＵ（Central  Processing  Unit）４０に電気的に接続される。
【００３０】
ＣＰＵ４０には、さらに、表示部４と、操作部３と、ＣＰＵ４０で実行されるプログラムを記憶したり、演算に必要な情報等を記憶したりするためのメモリ６と、時計８０と、電源９０とが接続される。
【００３１】
駆動回路２６は、ＣＰＵ４０からの制御信号に従ってポンプ２１を駆動させる。これによって空気袋１３に空気が注入される。
【００３２】
駆動回路２７は、ＣＰＵ４０からの制御信号に従って、それぞれ、弁２２を駆動させる。これによって、弁２２が開放／閉塞される。
【００３３】
圧力センサ２３は静電容量型の圧力センサであり、空気袋１３の内圧変化により静電容量値が変化する。圧力センサ２３は発振回路２８に接続され、発振回路２８は、圧力センサ２３の静電容量値に応じた発振周波数の信号に変換してＣＰＵ４０に入力する。
【００３４】
さらに図６を参照して、血圧計１は、脈波の容積を検出するための動脈容積センサ３０を含む。動脈容積センサ３０は、空気袋１３の、装着される際に測定部位と接触する側の面であって、装着時に動脈直上となる付近に配される。
【００３５】
動脈容積センサ３０には、好適には、発光素子および受光素子を含んだ光電センサが用いられる。他にはインピーダンスセンサも用いられ得る。なお、動脈容積センサ３０には、光電センサやインピーダンスセンサが２以上用いられてもよい。
【００３６】
動脈容積センサ３０は検出回路３１に電気的に接続され、センサ信号を検出回路３１に出力する。検出回路３１はＣＰＵ４０に電気的に接続され、入力されたセンサ信号を電圧値に変換してＣＰＵ４０に入力する。
【００３７】
＜動作概要＞
血圧計１では、血圧値を算出すると共に、脈拍数を算出する。空気袋１３によって動脈を圧迫していない時、つまり、血圧測定動作中以外のタイミングでは、動脈容積センサ３０により脈拍数を検知する。空気袋１３によって動脈を圧迫している時、つまり、血圧測定動作中のタイミングでは、空気袋１３の内圧を測定するための圧力センサ２３で検出した圧脈波の信号レベルが基準以上になった場合に、圧力センサ２３で検出した圧脈波と動脈容積センサ３０で検知した光電脈波との精度の高い方の脈波情報を用いて脈拍数を算出する。
【００３８】
ここでは、一例として、精度の高い方を判定するために、信号レベルとして圧力センサ２３で検出した圧脈波と動脈容積センサ３０で検知した光電脈波とのＳＮ比を算出し、当該ＳＮ比が高い方の脈波情報を用いて脈拍数を算出するものとする。精度の高い方の判定の他の例としては、たとえば、当該信号で表わされる脈波振幅を用いることもできる。
【００３９】
＜機能構成＞
図７は、血圧測定および脈拍測定を行なうための、血圧計１の機能構成の具体例を示すブロック図である。図７に示される各機能は、ＣＰＵ４０がメモリ６に記憶されるプログラムを読み出して実行することで、主にＣＰＵ４０上に形成されるものであるが、少なくとも一部が図６に示された装置構成や電気回路などのハードウェア構成によって実現されてもよい。
【００４０】
図７を参照して、ＣＰＵ４０は、時計８０での時刻を参照してあらかじめ規定されたタイミングで空気袋１３の内圧制御を行なうための内圧制御部４０１と、動脈容積センサ３０からの動脈容積に応じたセンサ信号の入力を受け付けるための容積センサ入力部４０２と、圧力センサ２３から空気袋１３の内圧に応じたセンサ信号の入力を受け付けるための圧力センサ入力部４０３と、内圧制御部４０１での内圧制御のタイミングに応じて圧力センサ２３からのセンサ信号と動脈容積センサ３０からのセンサ信号とのＳＮ比を用いて脈拍数の算出に用いるセンサ信号を判定するための判定部４０４と、脈拍数を算出するための脈拍算出部４０５と、血圧値を算出するための血圧算出部４０６と、算出結果を測定結果として表示部４に表示する処理を行なうための表示処理部４０７とを含む。
【００４１】
＜動作フロー＞
図８は、血圧計１での測定動作の流れを表わすフローチャートである。図８のフローチャートに示される動作は、操作部３に含まれる図示しない電源スイッチが押下されて血圧計１に電源が投入されると開始される動作であって、ＣＰＵ４０がメモリ６に記憶されるプログラムを読み出して実行し、図７に示される各機能を発揮させることによって実現される。
【００４２】
図８を参照して、血圧計１に電源が投入されるとステップＳ１０１でＣＰＵ４０は初期化処理として、ＣＰＵ４０の処理用メモリ領域を初期化し、測定用の空気袋１３内の空気を排気して圧力センサの０ｍｍＨｇ補正を行なう。
【００４３】
初期化が終了すると後、ステップＳ１０３でＣＰＵ４０は、動脈容積センサ３０からのセンサ信号に基づいて脈波の検出を開始する。信号レベルが所定の基準値以上の場合（ステップＳ１０５でＹＥＳ）、空気袋１３が測定部位に適切に（同脈直上に動脈容積センサ３０が位置するように）装着されたと判定し、血圧測定動作の開始時刻に達するまで待機する。
【００４４】
信号レベルが所定の基準値未満の場合は（ステップＳ１０５でＮＯ）、空気袋１３が未装着または適切に装着されていないと判定し、血圧測定動作は行なわずに一連の動作を終了する。
【００４５】
血圧測定動作の開始時刻に達すると（ステップＳ１０７でＹＥＳ）、ステップＳ１０９でＣＰＵ４０は血圧測定動作を実行する。血圧測定動作の開始時刻に達していない場合には（ステップＳ１０７でＮＯ）、光電脈波の信号レベルを確認する動作（ステップＳ１０５に戻る。
【００４６】
図９は、上記ステップＳ１０９での血圧測定動作の具体的な流れを表わすフローチャートである。
【００４７】
図９を参照して、ステップＳ２０１でＣＰＵ４０は血圧計の初期化として、ＣＰＵ４０の処理用メモリ領域を初期化し、空気袋１３内の空気を排気して圧力センサの０ｍｍＨｇ補正を行なう。
【００４８】
初期化処理の後、ステップＳ２０３でＣＰＵ４０は、弁２２を閉鎖し、ポンプ２１を所定の駆動量で駆動する。これにより、空気袋１３が徐々に加圧される。
【００４９】
ステップＳ２０５でＣＰＵ４０は、空気袋１３を徐々に加圧しながら、空気袋１３に重畳した動脈容積変化に伴う圧変化（圧脈波）を抽出する圧脈波および動脈容積センサ３０による光電脈波検出動作を行ない、脈拍を算出する。脈拍算出の詳細は後述する、次に、ステップＳ２０７で圧脈波信号に所定のアルゴリズムを適用して血圧を算出する。この方法は、従来のオシロメトリック法を用いることができる。
【００５０】
血圧が未算出の場合（ステップＳ２０９でＹＥＳ）、動作をステップＳ２０３に戻し、再度、徐々に空気袋１３を加圧する。
【００５１】
血圧算出が終了し、血圧値が決定すると（ステップＳ２０９でＹＥＳ）、ステップＳ２１１でＣＰＵ４０はポンプ２１の駆動を停止し、弁２２を完全に開放する。これにより、空気袋１３内の空気が排気される。また、以降は、ステップＳ２１３でＣＰＵ４０は動脈容積センサ３０による光電脈波検出動作を行ない、脈拍を算出する。
【００５２】
ステップＳ２１５でＣＰＵ４０は、算出された血圧値を表示する。
図１０は、上記ステップＳ２０５での圧脈波・光電脈波による脈拍算出の具体的な流れを表わすフローチャートである。ステップＳ２０５では、ＣＰＵ４０は、圧力センサ２３から得られた圧脈波の信号レベルと動脈容積センサ３０から得られた光電脈波の信号レベルとを、それぞれの基準値と比較することで、それを用いて脈拍の算出が可能であるか否かを判定する。さらに、いずれのセンサ信号を用いて脈拍の算出が可能である場合には、より精度の高いセンサ信号を脈拍の算出に用いるセンサ信号と判定する。
【００５３】
詳しくは、図１０を参照して、ＣＰＵ４０は、圧力センサ２３から得られた圧脈波の信号レベルと予め記憶されている基準値とを比較する。圧脈波の信号レベルが上記基準値未満であった場合には（ステップＳ３０１でＮＯ）、ＣＰＵ４０は脈拍数の算出に動脈容積センサ３０からのセンサ信号を用いると判定し、ステップＳ３０９で光電脈波を用いて脈拍数を算出する。
【００５４】
圧脈波の信号レベルが上記基準値以上であった場合には（ステップＳ３０１でＹＥＳ）、さらに、ＣＰＵ４０は動脈容積センサ３０から得られた光電脈波の信号レベルと予め記憶されている基準値とを比較する。光電脈波の信号レベルが上記基準値未満であった場合には（ステップＳ３０３でＮＯ）、ＣＰＵ４０は脈拍数の算出に圧力センサ２３からのセンサ信号を用いると判定し、ステップＳ３０７で圧脈波を用いて脈拍数を算出する。
【００５５】
光電脈波の信号レベルが上記基準値以上であった場合には（ステップＳ３０３でＹＥＳ）、ＣＰＵ４０は、より信号レベルの精度の高いセンサ信号を脈拍数の算出に用いるものと判定する。一例として、ＣＰＵ４０は、それぞれのセンサ信号からＳＮ比を算出して（ステップＳ３０５）、脈拍数の算出にＳＮ比の高い方のセンサ信号を用いると判定し、そのセンサ信号を用いて脈拍数を算出する（ステップＳ３０７，Ｓ３０９）。他の例として、上記ステップＳ３０１、Ｓ３０３での比較を利用して、より基準値からの信号レベルが超過している方のセンサ信号を脈拍数の算出に用いると判定するようにしてもよい。また、ＳＮ比以外のパラメータを用いてもよい。
【００５６】
＜実施例の効果＞
先述のように、特に血圧測定動作中の空気袋１３が変形している場合には、動脈容積センサ３０の配置によっては、図５に表わされたように測定位置との位置関係や方向が変化してしまう場合がある。その結果、図２〜図４に示されたように、適切に脈波が検出されなくなる場合がある。
【００５７】
これに対して、血圧計１が上述の動作を行なうことで、特に血圧測定動作中の空気袋１３が変形している間においては、動脈容積センサ３０からのセンサ信号の信号レベルと圧力センサ２３からのセンサ信号の信号レベルとのうちの基準値を満たしている方のセンサ信号を用いて脈波を検出し、脈拍を算出する。さらに、いずれもが基準値を満たしている場合にはこれら信号レベルを比較してより信号レベルの高い方、つまり精度の高い方のセンサ信号を用いて脈波を検出し、脈拍を算出する。
【００５８】
このため、空気袋１３によって動脈を圧迫している時でも精度の高い脈波検出ができ、精度よく脈拍数を算出することができる。
【００５９】
＜他の例＞
なお、上の例では、血圧の算出方法はオシロメトリック法であるものとしているが、算出方法はこの方法には限定されるものではなく、コロトコフ音法や容積振動法など他の血圧算出方法であってもよい。また、加圧時に血圧を算出する方法ではなく、減圧時に血圧を算出する方法を使用してもよい。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６１】
１  血圧計、３  操作部、４  表示部、６  メモリ、１０  エア管、１３  空気袋、２０  エアー系、２１  ポンプ、２２  弁、２３  圧力センサ、２６，２７  駆動回路、２８  発振回路、３０  動脈容積センサ、３１  検出回路、４０  ＣＰＵ、８０  時計、９０  電源、４０１  内圧制御部、４０２  容積センサ入力部、４０３  圧力センサ入力部、４０４  判定部、４０５  脈拍算出部、４０６  血圧算出部、４０７  表示処理部。
【図１】
0005821658.tif 000002
【図２】
0005821658.tif 000003
【図３】
0005821658.tif 000004
【図４】
0005821658.tif 000005
【図５】
0005821658.tif 000006
【図６】
0005821658.tif 000007
【図７】
0005821658.tif 000008
【図８】
0005821658.tif 000009
【図９】
0005821658.tif 000010
【図１０】
0005821658.tif 000011